(57)【要約】      （修正有）【課題】視認性を損なうことなく従来の圧力計よりも小型化が可能な圧力計を提供する。【解決手段】圧力計１０は、ケース本体２０と、ケース本体２０内に収容されたブルドン管３０と、ブルドン管３０に設けられた指針４０とを備え、ブルドン管３０の中心３０ａが、ケース本体２０の中心２０ａから一方の長さＸ方向に離れた位置に設けられ、ケース本体２０は、一方の長さＸが他方の長さＹよりも小さく形成されている。【選択図】図２
2020063990.tif 000002
【特許請求の範囲】
【請求項１】
ケース本体と、
前記ケース本体内に収容されたブルドン管と、
前記ブルドン管に設けられた指針とを備え、
前記ブルドン管の中心が、前記ケース本体の中心から一方の長さ方向に離れた位置に設けられ、
前記ケース本体は、前記一方の長さが他方の長さよりも小さく形成されていることを特徴とする圧力計
【請求項２】
前記ケース本体は楕円形であることを特徴とすることを特徴とする請求項１に記載の圧力計。
【請求項３】
前記ケース本体の背面を覆う背面プレートを備え、
前記背面プレートは、
平板状の背面プレート本体と、
前記背面プレート本体から外方へ突出しており、前記ケース本体に係合させる背面プレート係合部と、
前記背面プレート本体に形成された貫通孔であり、被計測物に共締めする挿入具が挿通される背面プレート挿通部とを有し、
前記背面プレート係合部は、前記背面プレート本体と一体的に形成されると共に、前記背面プレート本体を方形としたときの仮想外形線よりも内側のみに位置することを特徴とする請求項１又は請求項２に記載の圧力計。
【請求項４】
前記背面プレート本体には、前記背面プレート係合部が一方の対角上に一対で設けられ、前記背面プレート挿通部が他方の対角上に一対で設けられていることを特徴とする請求項３に記載の圧力計。
【請求項５】
請求項１から請求項４のいずれか一項に記載の圧力計を備えることを特徴とする消火器。
【発明の詳細な説明】
【技術分野】
【０００１】
本発明は、蓄圧式消火器等に用いられる圧力計に関する。
【背景技術】
【０００２】
ブルドン管を用いた圧力計において、ブルドン管には被計測物の圧力を示す指針が接続されている。引用文献１や引用文献２に示されるように、実際には指針の必要動作範囲が１８０度以下であったとしても、ケース本体は真円形に形成されている。
【先行技術文献】
【特許文献】
【０００３】
【特許文献１】特開２００１−９９７３３号公報
【特許文献２】実公昭５６−０３５７９９号公報
【発明の概要】
【発明が解決しようとする課題】
【０００４】
蓄圧式消火器等に用いられる圧力計は、視認性が極端に悪化しない範囲で小型であることが好ましい。
そこで本発明は、従来よりも小型の圧力計を提供することを目的とする。
【課題を解決するための手段】
【０００５】
請求項１記載の本発明の圧力計１０は、ケース本体２０と、前記ケース本体２０内に収容されたブルドン管３０と、前記ブルドン管３０に設けられた指針４０とを備え、前記ブルドン管３０の中心３０ａが、前記ケース本体２０の中心２０ａから一方の長さＸ方向に離れた位置に設けられ、前記ケース本体２０は、前記一方の長さＸが他方の長さＹよりも小さく形成されていることを特徴とする。
【０００６】
請求項２記載の本発明は、請求項１に記載の圧力計１０において、前記ケース本体２０は楕円形であることを特徴とする。
【０００７】
請求項３記載の本発明は、請求項１又は請求項２に記載の圧力計１０において、前記ケース本体２０の背面を覆う背面プレート６０を備え、前記背面プレート６０は、平板状の背面プレート本体６１と、前記背面プレート本体６１から外方へ突出しており、前記ケース本体２０に係合させる背面プレート係合部６２と、前記背面プレート本体６１に形成された貫通孔であり、被計測物に共締めする挿入具が挿通される背面プレート挿通部６３とを有し、前記背面プレート係合部６２は、前記背面プレート本体６１と一体的に形成されると共に、前記背面プレート本体６１を方形としたときの仮想外形線Ｚよりも内側のみに位置することを特徴とする。
【０００８】
請求項４記載の本発明は、請求項３に記載の圧力計１０において、前記背面プレート本体６１には、前記背面プレート係合部６２が一方の対角上に一対で設けられ、前記背面プレート挿通部６３が他方の対角上に一対で設けられていることを特徴とする。
【０００９】
請求項５記載の本発明の消火器１は、請求項１から請求項４のいずれか一項に記載の圧力計１０を備えることを特徴とする。
【発明の効果】
【００１０】
本発明によれば、従来よりも小型の圧力計を提供することができる。
【図面の簡単な説明】
【００１１】
【図１】本発明の一実施例による圧力計が装着された消火器を示す図
【図２】同圧力計を示す図
【発明を実施するための形態】
【００１２】
本発明の第１の実施の形態による圧力計は、ケース本体と、ケース本体内に収容されたブルドン管と、ブルドン管に設けられた指針とを備え、ブルドン管の中心が、ケース本体の中心から一方の長さ方向に離れた位置に設けられ、ケース本体は、一方の長さが他方の長さよりも小さく形成されているものである。
本実施の形態によれば、従来よりも小型の圧力計とすることができる。
【００１３】
本発明の第２の実施の形態は、第１の実施の形態による圧力計において、ケース本体を楕円形としたものである。
本実施の形態によれば、角形の場合よりも小型化できると共に、外部からの衝撃等に強くすることができる。
【００１４】
本発明の第３の実施の形態は、第１又は第２の実施の形態による圧力計において、ケース本体の背面を覆う背面プレートを備え、背面プレートは、平板状の背面プレート本体と、背面プレート本体から外方へ突出しており、ケース本体に係合させる背面プレート係合部と、背面プレート本体に形成された貫通孔であり、被計測物に共締めする挿入具が挿通される背面プレート挿通部とを有し、背面プレート係合部は、背面プレート本体と一体的に形成されると共に、背面プレート本体を方形としたときの仮想外形線よりも内側のみに位置するものである。
本実施の形態によれば、背面プレート係合部が仮想外形線よりも外側に位置する場合と比べて材料の無駄が少なくなり、コスト低減につながる。
【００１５】
本発明の第４の実施の形態は、第３の実施の形態による圧力計において、背面プレート本体には、背面プレート係合部が一方の対角上に一対で設けられ、背面プレート挿通部が他方の対角上に一対で設けられているものである。
本実施の形態によれば、ケース本体と背面プレートとの結合状態、及びバルブケースと圧力計との結合状態がより安定したものとなる。
【００１６】
本発明の第５の実施の形態による消火器は、第１から第４のいずれか一つの実施の形態による圧力計を備えるものである。
本実施の形態によれば、従来よりも小型の圧力計を備えた消火器を提供できる。
【実施例】
【００１７】
以下、本発明の実施例による圧力計及び消火器について説明する。
【００１８】
図１は、本発明の一実施例による圧力計が装着された消火器を示す図である。
消火器１は、蓄圧式であり、消火薬剤及び所定圧に蓄圧された気体が収容されている耐圧容器２と、耐圧容器２の開口部を閉塞するバルブケース３と、バルブケース３を耐圧容器２に固定するナット４と、バルブケース３の上部に接続された操作レバー５と、操作レバー５に設けられ消火薬剤の誤放出を防止する安全栓６と、バルブケース３の側部に後端が接続され先端に消火薬剤放出口を有したホース７を備える。また、バルブケース３の前部には、被計測物である耐圧容器２内の圧力を計測表示する圧力計１０が装着されている。
【００１９】
図２は、圧力計を示す図であり、図２（ａ）は正面図、図２（ｂ）は上面図、図２（ｃ）は左側面図、図２（ｄ）は背面図である。
圧力計１０は、ケース本体２０と、ブルドン管３０と、指針４０と、圧力表示板５０と、背面プレート６０を備える。
ケース本体２０には、ブルドン管３０、指針４０及び圧力表示板５０が収容されている。ケース本体２０は、指針４０及び圧力表示板５０を外部から視認できるように少なくとも一部が透明となっている。ケース本体２０の外周には、一方の対角上に一対のケース本体係合部２１が設けられており、他方の対角上に一対のケース本体挿通部２２が連設されている。ケース本体係合部２１は、ケース本体２０の前面に形成された窪みである。ケース本体挿通部２２は、ケース本体２０の外方に突出しており、貫通孔２２Ａが設けられている。貫通孔２２Ａには、バルブケース３と圧力計１０を共締めする挿入具が正面側から挿通される。挿入具は、例えばネジ又はボルトである。
ブルドン管３０はいわゆる渦巻形であり、背面プレート６０の背面から突出した圧力導入管部３１と、圧力導入管部３１に連続した渦巻状の渦巻管部３２を有する。圧力導入管部３１はバルブケース３に接続される。圧力導入管部３１から耐圧容器２内の圧力が導入され、渦巻管部３２は耐圧容器２内の圧力に応じて曲率が変化する。
指針４０は、渦巻管部３２の外周に接続されており、渦巻管部３２の曲率の変化に伴い変位する。
圧力表示板５０には、消火器１の使用圧力範囲５０Ａが表示されている。指針４０が使用圧力範囲５０Ａの範囲内を指しているときは、耐圧容器２内の圧力状態は正常であると判断される。
【００２０】
圧力計１０は、正面から見たときに、ブルドン管３０の中心３０ａが、ケース本体２０の中心２０ａから一方の長さＸ方向に離れた位置に設定されている。また、ケース本体２０は、一方の長さＸが他方の長さＹよりも小さく形成されている。なお、ブルドン管３０の中心３０ａは、渦巻管部３２の中心でもある。
ブルドン管３０の中心３０ａをケース本体２０の中心２０ａからずれた位置に設けることで、ブルドン管３０はケース本体２０内の一方に寄ることになるため、それにより空いたスペースを削るように一方の長さＸが他方の長さＹよりも小さいケース本体２０とすることで、一方の長さＸと他方の長さＹが等しい従来の真円形圧力計よりも小型化できる。例えば一方の長さＸを高さ方向とすれば、従来よりも高さが低い圧力計１０とすることができる。
本実施例において、ケース本体２０は楕円形であり、ブルドン管３０の中心３０ａは、ケース本体２０の中心２０ａから所定距離ずれた位置でケース本体２０の短軸上にある。楕円形として角を無くすことにより、角形の場合よりも小型化できると共に、外部からの衝撃等に強くすることができる。
【００２１】
図２（ａ）に示すように、ケース本体２０を長軸で一方の領域２０Ａと他方の領域２０Ｂに分けると、圧力表示板５０の使用圧力範囲５０Ａは、一方の領域２０Ａ側に表示されている。また、通常の使用状態における指針４０の動作範囲は、一方の領域２０Ａのみである。
ブルドン管３０の中心３０ａは、他方の領域２０Ｂ側に配置されている。ブルドン管３０を他方の領域２０Ｂ側に寄せることで、他方の領域２０Ｂにおいて指針４０とケース本体２０が干渉する部分が生じるが、例えば蓄圧式消火器の使用圧力範囲は、７〜９．８［×10-1Mpa］の場合が殆どであり、通常の使用状態において指針４０が他方の領域２０Ｂまで動作することはない。また、圧力計１０が蓄圧式消火器以外に用いられる場合であっても、指針４０の動作範囲が概ね１８０度以下の圧力計であれば、指針４０とケース本体２０が干渉する部分が生じることは問題とならない。但し、ブルドン管３０の中心３０ａの位置は、渦巻管部３２の膨張がケース本体２０との干渉によって妨げられない位置に設定される。
本実施例において、圧力計１０は、一方の領域２０Ａが上側、他方の領域２０Ｂが下側となるように、長手方向（長軸）を水平にして消火器１に取り付けられている。
【００２２】
背面プレート６０は、ケース本体２０の背面を覆う。背面プレート６０は、背面プレート本体６１と、背面プレート係合部６２と、背面プレート挿通部６３を備える。
背面プレート本体６１は、金属製で角に丸みがある略方形の平板である。
背面プレート係合部６２は、背面プレート６０とケース本体２０の結合に用いられる。本実施例において背面プレート係合部６２は、背面プレート本体６１の側端に突設された鉤状の爪であり、先端がケース本体２０の正面側に回り込んでケース本体係合部２１と係合する。
背面プレート挿通部６３は、背面プレート本体６１を貫通した貫通孔であり、正面側から挿入具が挿通される。バルブケース３には、挿入具が挿入される取付孔が設けられており、その取付孔にケース本体挿通部２２と背面プレート挿通部６３を挿通した挿入具を挿入して固定することにより、バルブケース３と圧力計１０とを共締めすることができる。
このように、圧力計１０は、ケース本体２０自体を回転させることなく挿入具を用いてバルブケース３に取り付けることができるため、スペーサー等を用いずとも圧力計１０の向きを正しく取り付けることができる。また、従来よりも小型化した圧力計１０を用いることにより、圧力計１０の取付先であるバルブケース３も小型化することができる。これに対して、ケース本体２０自体を回転させながらバルブケース３にねじ込んで取り付けるタイプの圧力計は、ねじ込みの成り行きに任せた場合には、例えば使用圧力範囲５０Ａの表示が上側ではなく下側に位置してしまうなど、圧力計の向きを正しく取り付けることが困難であるため、スペーサー等を用いてねじ込み量を調節する必要がある。
【００２３】
背面プレート係合部６２は、背面プレート本体６１を方形としたときの仮想外形線Ｚ（図２（ｄ）の点線）よりも内側のみに位置することが好ましい。
仮想外形線Ｚよりも外側に背面プレート係合部６２が位置する場合には、背面プレート６０を一枚の板材で製作する際に、背面プレート本体６１の側端に一体的に突設される背面プレート係合部６２の出っ張り分を考慮して、素材となる板材を仮想外形線Ｚよりも大きくとる必要があるが、仮想外形線Ｚよりも内側のみに背面プレート係合部６２が位置する場合には、その必要が無くなるため、材料の無駄が少なくなりコスト低減につながる。
本実施例では、背面プレート本体６１は、外周が直線状である二つの直線領域６１Ａと、直線領域６１Ａの最大径よりも最大径が小さい外周が円弧状である二つの円弧領域６１Ｂとにより、直線領域６１Ａと円弧領域６１Ｂが隣合わせで形成され、背面プレート係合部６２は、仮想外形線Ｚよりも内側に位置するように、円弧領域６１Ｂに設けられている。円弧領域６１Ｂの外周の曲率は、ケース本体２０の対応位置における外周の曲率に合わせている。
【００２４】
また、図２（ｄ）に示すように、背面プレート本体６１には、背面プレート係合部６２がケース本体係合部２１と対応するように一方の対角上に一対で設けられ、背面プレート挿通部６３がケース本体挿通部２２と対応するように他方の対角上に一対で設けられていることが好ましい。これにより、ケース本体２０と背面プレート６０との結合状態、及びバルブケース３と圧力計１０との結合状態がより安定したものとなる。
【産業上の利用可能性】
【００２５】
本発明によれば、従来よりも小型の圧力計を提供することができ、特に蓄圧式消火器に適している。
【符号の説明】
【００２６】
１０  圧力計
２０  ケース本体
２０ａ  中心
３０  ブルドン管
３０ａ  中心
４０  指針
６０  背面プレート
６１  背面プレート本体
６２  背面プレート係合部
６３  背面プレート挿通部
Ｘ  一方の長さ
Ｙ  他方の長さ
Ｚ  仮想外形線
【図１】
2020063990.tif 000003
【図２】
2020063990.tif 000004